(57)【要約】  【課題】  法面の早期緑化と、自然環境に与える負荷の低減とを図ることができる法面緑化方法を提供する。  【解決手段】  １年草および／または２年草の種子２を緑化対象である法面Ｎに配置する。  【選択図】  図２
2005226224.tif 000002
【特許請求の範囲】
【請求項１】
１年草および／または２年草の種子を緑化対象である法面に配置することを特徴とする法面緑化方法。
【請求項２】
１年草および／または２年草の種子を保持する薄綿およびこの薄綿を保持するネットを備えた植生マットを、法面に張設することを特徴とする法面緑化方法。
【請求項３】
緑化対象である法面に、１年草および／または２年草の種子を含む植生材料を吹き付けることを特徴とする法面緑化方法。
【請求項４】
１年草および／または２年草の種子を収容した植生袋が間隔をおいて設けられたネットを、法面に張設することを特徴とする法面緑化方法。
【発明の詳細な説明】
【技術分野】
【０００１】
この発明は、法面緑化方法に関する。
【背景技術】
【０００２】
従来、一般的な法面緑化方法として、多年生の外来草本を緑化対象である法面に配置することが行われている。この方法によれば、緑化の初期段階では、法面が外来草本によって覆われるものの、この外来草本の衰退に伴って、法面に周辺野草・木本が侵入し、法面の植物相が現地周域になじむものへと緩やかに遷移することとなる。
【発明の開示】
【発明が解決しようとする課題】
【０００３】
上記緑化方法では、多年生の外来草本が法面を覆うようになるまでに時間がかからず、法面の早期緑化を図ることができるものの、法面における植物相が緑化初期の外来草本主体のものから法面周域になじむものへと遷移するのに１５〜２０年程度の長期間が必要であり、それだけ自然環境に与える負荷が大きくなるという問題があった。
【０００４】
そこで、近年、法面に植物種子を積極的には導入せず、周辺から種子が侵入して来るのを待つ待ち受け型の緑化方法が行われている。しかし、この待ち受け型の緑化方法は、法面周域の植物相を混乱させることが無いという点で好ましいが、植物が法面を覆う状態になるまでに時間が掛かり、法面の早期緑化を図ることができず、従って、施工直後の法面保護（侵食防止）がなされないという点が問題となっていた。
【０００５】
この発明は上述の事柄に留意してなされたもので、その目的は、法面の早期緑化と、自然環境に与える負荷の低減とを図ることができる法面緑化方法を提供することである。
【課題を解決するための手段】
【０００６】
上記目的を達成するために、この発明の法面緑化方法は、１年草および／または２年草の種子を緑化対象である法面に配置する（請求項１）。
【０００７】
尚、使用する種子としては１年草および／または２年草の種子のみを用いることが望ましい。
【０００８】
また、１年草および／または２年草の種子を保持する薄綿およびこの薄綿を保持するネットを備えた植生マットを、法面に張設してもよい（請求項２）。
【０００９】
また、緑化対象である法面に、１年草および／または２年草の種子を含む植生材料を吹き付けてもよい（請求項３）。
【００１０】
また、１年草および／または２年草の種子を収容した植生袋が間隔をおいて設けられたネットを、法面に張設してもよい（請求項４）。
【発明の効果】
【００１１】
請求項１〜４に係る発明では、短期間で旺盛に繁茂する１年草および／または２年草の種子を用いることにより、法面の早期緑化を実現することができる。
【００１２】
また、１年草および／または２年草は、結実してその種子を法面に落下させる。そして、法面の表面の凹凸や植物体に引っ掛かって流亡せずに残った種子の一部は翌年も発芽生育するが、経年的に成立数（発芽する種子の数）は減少し、数年でほとんど消滅することになる。従って、繁茂した１年草および／または２年草は早期のうちに枯死し、衰退して、法面の土壌を肥沃にするとともに、減少していく１年草および／または２年草と入れ替わるようにして、法面に飛来してきた周辺植物の種子が成長し、増加していく。そして、法面の土壌が肥沃になっているため、上記周辺植物の種子は良好に成長し、しっかりと法面に根付くことになる。
【００１３】
すなわち、請求項１〜４に係る発明では、多年生植物を用いて緑化する従来の法面緑化方法に比べて、法面の植物相が、１年草および／または２年草を主体とする緑化初期の状態から現地周域になじむものへと遷移するまでの期間を大幅に短縮化することができ、これによって、法面の緑化が与える自然環境への負荷を可及的に小さくすることができる。
【００１４】
さらに、請求項２、４の発明では、植生マット、ネットを法面に張設するだけでよく、また、請求項３の発明では、植生材料を吹き付けるだけでよいので、それぞれその実施がより容易で、かつ短時間で行えるものとなる。
【発明を実施するための最良の形態】
【００１５】
以下、この発明の詳細を、図を参照しながら説明する。図１は、この発明の第１実施例に係る法面緑化方法に用いられる植生マット１の構成を概略的に示す斜視図、図２（Ａ）〜（Ｄ）は、前記法面緑化方法の構成を示す説明図である。
【００１６】
植生マット１は、図１に示すように、種子２を下部に保持する薄綿３と、この薄綿３を下面に保持するネット４とを備えており、平面視ほぼ長方形状をしている。
【００１７】
種子２は、例えば、イタリアンライグラス、ナギナタガヤ、カラシナ、ハゼリソウ、アルサイククローバー、コスモス、ナズナなど、１年草および／または２年草の種子であり、種子２は、例えば、水溶性糊を用いて薄綿３に接着される。なお、ここでいう１年草および／または２年草には、１年で枯れる場合と２年で枯れる場合の両方あるものも含まれる。
【００１８】
薄綿３は、例えばスフなどからなり、シート状をしているとともに、ネット４の下面に貼着される。
【００１９】
ネット４は、植物種子の通芽を許容する目合いを有する可撓性ネットであり、例えばナイロン、ポリエステル、アラミド等の耐腐食性の合成樹脂繊維やポリ乳酸系などの生分解性の合成樹脂繊維、ヤシや麻、藁などの植物繊維、紙などを用いて、目合い２〜１５ｍｍの格子状に成型したものであるが、上記繊維の糸を用いて同じ目合いの網状体に編組したものにしてもよく、両者を重ね合わせたものでもよい。
【００２０】
次に、上記植生マット１を用いる法面緑化方法は、緑化対象である法面Ｎの表面を整地した後、図２（Ａ）に示すように、法面Ｎ上に、種子３が法面Ｎに接するように前記植生マット１を張設するだけで行うことができる。なお、この植生マット１の張設は、アンカー釘などの固定部材５を用いて行われる。
【００２１】
上記のように植生マット１を法面Ｎ上に張設した状態とすることにより、種子２は薄綿３によって飛散・流亡することが防止されるとともに、保温効果をもった薄綿３により、種子２は発芽・成長に適した温度下・環境下に置かれることとなる。また、ネット４によって降雨や風食などによる法面Ｎの浸食（エロージョン）が確実に防止される。
【００２２】
そして、植生マット１の張設後、時間が経過すると、まず、図２（Ｂ）に示すように、植生マット１の種子２が発芽し、法面Ｎにて１年草および／または２年草６が生育する。種子２は、１年草および／または２年草の種子であり、地上部および根茎の成長が早く、従って、法面Ｎ上にて１年草および／または２年草６が短期間（半年から１年半程度）で旺盛に繁茂することになる。こうして草本が繁茂することによって、法面Ｎの地中の無機物（リンなど）が植物体に吸収され、有機物へと変化する。
【００２３】
その後、図２（Ｃ）に示すように、法面Ｎ上で繁茂した１年草および／または２年草は、早期のうちに（１〜２年程度で）枯死し、植物遺体の腐朽過程において腐植が生じ、法面Ｎを構成する硬質土壌と前記腐植とが混合または結合することによって、草本・木本の生育しやすい有機質土壌が生まれる。すなわち、この有機質土壌は、通常、団粒化構造をしており、法面Ｎの地中内に酸素が充分に供給されるので、有機質土壌にて育つ植物は根から酸素を容易に取り込むことができることに加え、有機質土壌中においては有用微生物が良好に増殖し、有機質土壌にて育つ植物に好影響を及ぼす。
【００２４】
上述したように、法面Ｎにて繁茂した１年草および／または２年草６が、法面Ｎの植生群落内から早期のうちに衰退した後、図２（Ｄ）に示すように、その１年草および／または２年草６が生育していたエリアに周辺植物７の種子が侵入して生育することになる。そして、このようにして行われる遷移が、法面Ｎの至る所で進み、やがて、法面Ｎは、周辺植物７よりなる植生群落によって覆われ、その周辺の生態系になじむように緑化された状態となる。
【００２５】
図３（Ａ）〜（Ｄ）は、この発明の第２実施例に係る法面緑化方法の構成を概略的に示す説明図である。なお、上記第１実施例に示したものと同一構造の部材については、同じ符号を付しその説明を省略する。
【００２６】
第２実施例の法面緑化方法は、図３（Ａ）に示すように、緑化対象である法面Ｎ上に、ネット４を張設した後、前記種子２を含む植生材料８を、法面Ｎ上に散布（吹き付け）して、所定の厚みをもった植生材料８の層を形成（配置）することによって行われる。なお、ネット４の張設は、アンカー釘などの固定部材５を用いて行われ、植生材料８の散布は、例えば公知の吹き付け装置を用いて行うことができる。また、植生材料は、種子２以外に、例えば、肥料や粗大繊維などを含む。
【００２７】
上記のように散布される植生材料８の飛散・流亡はネット４によって防止され、また、このネット４は、法面Ｎの浸食（エロージョン）を防止する。
【００２８】
そして、植生材料８の散布後、時間が経過すると、まず、図３（Ｂ）に示すように、散布した種子２が発芽し、法面Ｎにて１年草および／または２年草６が生育し、続いて、図３（Ｃ）に示すように、法面Ｎ上で繁茂した１年草および／または２年草６は、早期のうちに（１〜２年程度で）枯死し、法面Ｎの植生群落内から早期のうちに衰退する。その後、図３（Ｄ）に示すように、その１年草および／または２年草６が生育していたエリアに周辺植物７の種子が侵入して生育することになる。すなわち、図３（Ｂ）〜（Ｄ）に示す法面Ｎの植生の遷移の過程は、図２（Ｂ）〜（Ｄ）に示した植生の遷移の過程と同様に行われる。
【００２９】
図４は、この発明の第３実施例に係る法面緑化方法に用いられるヤシネット１０の構成を概略的に示す説明図である。なお、上記各実施例に示したものと同一構造の部材については、同じ符号を付しその説明を省略する。
【００３０】
第３実施例の法面緑化方法は、１年草および／または２年草の種子２を含む植生材料８を収容した植生袋９が適宜の間隔をおいて設けられた粗目のヤシネット１０を、例えば前記固定部材５を用いて法面Ｎに張設することによって行われる。
【００３１】
ヤシネット１０は、例えば、その片面に、生分解性のネット１１又は布片が重ね合わされ、ヤシネット１０と生分解性のネット１１又は布片との間に、前記植生袋９が適宜の間隔に挟着され、これらが一体的に縫合されてなる。また、ヤシネット１０は、例えば、１〜１０ｍｍ径のヤシ繊維の撚り紐を１０×１０ｃｍ当たり５〜１５本になるように編織することで構成される。
【００３２】
上記第３実施例の法面緑化方法では、植生袋９内の種子２が発芽して１年草および／または２年草６が繁茂するのであり、その後の過程は、ヤシネット１０が適宜の期間が経過した後に分解される点を除けば、第１実施例において図２（Ｂ）〜（Ｄ）に示した過程とほぼ同様であるので、その説明は省略する。
【００３３】
そして、この第３実施例の法面緑化方法では、ヤシネット１０を用いているので以下のような効果が得られる。すなわち、前記ヤシネット１０は、時間経過とともに腐食分解するので特に自然環境面で好ましく、また、周辺から飛来してきた種子を捕捉し易い形状をしているので、法面Ｎへの周辺植物の活着（定着）が早期に確実に行われることにつながる。
【００３４】
なお、この発明は上記の実施の形態に限られず、種々に変形して実施することができる。例えば、各実施例において、種子２として、１年草および／または２年草の種子のみを用いるのではなく、法面Ｎの周辺土壌から採取した種子をあわせて用いるようにしてもよい。この場合には、法面Ｎを覆う植生群落が１年草および／または２年草６主体のものから周辺植物７主体のものとなる遷移をより確実に行わせることができるとともに、その遷移期間をより短くすることができる。
【００３５】
また、第１および第２実施例において、ネット４を例えばヤシネットにより構成してもよい。
【００３６】
また、第１実施例において、薄綿３を、ネット４の下面に貼着するのではなく、薄綿３をネット４に絡ませることにより、両者３，４を一体化するように構成してもよく、薄綿３に代えて、例えば、不織布を用いてもよい。さらに、薄綿３に、種子２のみでなく、肥料などの植生基材をあわせて保持させてもよい。
【００３７】
また、第１実施例において、種子２を保持した薄綿３およびこの薄綿３を保持したネット４からなる植生マット１を法面Ｎ上に張設する構成に代えて、例えば、まず、種子２のみを法面Ｎに播種し、その後、法面Ｎの表面を種子２ごと覆うように、薄綿付きネット（図示していない）を張設してもよい。この場合、前記薄綿付きネットは、植生マット１の薄綿３に種子２が取り付けられていないものを用いることができ、薄綿３が下側となるように法面Ｎに張設すればよい。
【図面の簡単な説明】
【００３８】
【図１】この発明の第１実施例に係る法面緑化方法に用いられ植生マットの構成を概略的に示す斜視図である。
【図２】（Ａ）〜（Ｄ）は、前記法面緑化方法の構成を概略的に示す説明図である。
【図３】（Ａ）〜（Ｄ）は、この発明の第２実施例に係る法面緑化方法の構成を概略的に示す説明図である。
【図４】この発明の第３実施例に係る法面緑化方法に用いられるヤシネットの構成を概略的に示す斜視図である。
【符号の説明】
【００３９】
２  種子
Ｎ  法面
【図１】
2005226224.tif 000003
【図２】
2005226224.tif 000004
【図３】
2005226224.tif 000005
【図４】
2005226224.tif 000006